(57)【要約】【課題】  タッチパネル操作可と、タッチパネル操作不可の複数のディスプレイを併用して、表示領域に設けた複数の分割領域のサイズと位置関係を変更する。【解決手段】  情報制御装置は、タッチ操作が可能な第１ディスプレイの表示画面を３つ以上の分割領域に分割する分割線の交点に設けられたポインタに対するユーザからの前記タッチ操作を検知する操作検知部と、検知された前記ポインタに対する前記タッチ操作に応じ、前記第１ディスプレイの表示を、前記第１及び第２ディスプレイを併用するレイアウトに遷移させるレイアウト設定部と、を備え、前記レイアウト設定部は、前記ポインタに対する前記タッチ操作としての前記第２ディスプレイが設置されている方向へのドラッグに応じて、前記ポインタを前記第1ディスプレイの端に移動させ、前記第1ディスプレイに表示されていた分割領域の一部を前記第２ディスプレイに移動させることを特徴とする。【選択図】図２
2020009039.tif 000002
【特許請求の範囲】
【請求項１】
タッチ操作が可能な第１ディスプレイの表示画面を３つ以上の分割領域に分割する分割線の交点に設けられたポインタに対するユーザからの前記タッチ操作を検知する操作検知部と、
検知された前記ポインタに対する前記タッチ操作に応じ、前記第１ディスプレイの表示を、前記第１ディスプレイと第２ディスプレイを併用するレイアウトに遷移させるレイアウト設定部と、
を備え、
前記レイアウト設定部は、前記ポインタに対する前記タッチ操作としての前記第２ディスプレイが設置されている方向へのドラッグに応じて、前記ポインタを前記第1ディスプレイの端に移動させるとともに、前記第1ディスプレイに表示されていた分割領域の一部を前記第２ディスプレイに移動させる
ことを特徴とする情報制御装置。
【請求項２】
請求項１に記載の情報制御装置であって、
前記レイアウト設定部は、前記レイアウトの遷移過程として、前記ポインタに対する前記タッチ操作としてのドラッグに応じて、前記第1ディスプレイにおいて前記ポインタを移動させるとともに、前記分割線と前記分割領域とを弾性体に模して変形させる
ことを特徴とする情報制御装置。
【請求項３】
請求項２に記載の情報制御装置であって、
前記レイアウト設定部は、前記レイアウトの遷移過程として、前記ポインタに対する前記タッチ操作としてのドラッグに応じて、前記ディスプレイの軸方向に平行であった前記分割線を、前記ディスプレイの軸方向に平行ではない斜め方向に伸ばして変形する
ことを特徴とする情報制御装置。
【請求項４】
請求項１に記載の情報制御装置であって、
前記レイアウト設定部は、前記第1ディスプレイの端に移動された前記ポインタに対する前記タッチ操作としての前記第２ディスプレイから離れる方向へのドラッグに応じて、前記ポインタを移動させるとともに、前記第２ディスプレイに表示されていた分割領域を前記第１ディスプレイに移動させる
ことを特徴とする情報制御装置。
【請求項５】
情報制御装置による表示変更方法であって、
タッチ操作が可能な第１ディスプレイの表示画面を３つ以上の分割領域に分割する分割線の交点に設けられたポインタに対するユーザからの前記タッチ操作を検知する操作検知ステップと、
検知された前記ポインタに対する前記タッチ操作に応じ、前記第１ディスプレイの表示を、前記第１ディスプレイと第２ディスプレイを併用するレイアウトに遷移させるレイアウト設定ステップと、
を含み、
前記レイアウト設定ステップは、前記ポインタに対する前記タッチ操作としての前記第２ディスプレイが設置されている方向へのドラッグに応じて、前記ポインタを前記第1ディスプレイの端に移動させるとともに、前記第1ディスプレイに表示されていた分割領域の一部を前記第２ディスプレイに移動させる
ことを特徴とする表示変更方法。
【請求項６】
請求項５に記載の表示変更方法であって、
前記レイアウト設定ステップは、前記レイアウトの遷移過程として、前記ポインタに対する前記タッチ操作としてのドラッグに応じて、前記第1ディスプレイにおいて前記ポインタを移動させるとともに、前記分割線と前記分割領域とを弾性体に模して変形させる
ことを特徴とする表示変更方法。
【請求項７】
請求項６に記載の表示変更方法であって、
前記レイアウト設定部は、前記レイアウトの遷移過程として、前記ポインタに対する前記タッチ操作としてのドラッグに応じて、前記ディスプレイの軸方向に平行であった前記分割線を、前記ディスプレイの軸方向に平行ではない斜め方向に伸ばして変形する
ことを特徴とする情報制御装置。
【請求項８】
請求項５に記載の表示変更方法であって、
前記レイアウト設定ステップは、前記第1ディスプレイの端に移動された前記ポインタに対する前記タッチ操作としての前記第２ディスプレイから離れる方向へのドラッグに応じて、前記ポインタを移動させるとともに、前記第２ディスプレイに表示されていた分割領域を前記第１ディスプレイに移動させる
ことを特徴とする表示変更方法。
【請求項９】
タッチ操作が可能な第１ディスプレイの表示画面を３つ以上の分割領域に分割する分割線の交点に設けられたポインタに対するユーザからの前記タッチ操作を検知する操作検知部と、
検知された前記ポインタに対する前記タッチ操作に応じ、少なくとも前記第１ディスプレイの表示を、前記第１ディスプレイと第２ディスプレイを併用するレイアウトから前記第２ディスプレイを併用しないレイアウトに遷移させるレイアウト設定部と、
を備え、
前記レイアウト設定部は、前記第1ディスプレイの端に移動されている前記ポインタに対する前記タッチ操作としての前記第２ディスプレイから離れる方向へのドラッグに応じて、前記ポインタを移動させるとともに、前記第２ディスプレイに表示されていた分割領域を前記第１ディスプレイに移動させる
ことを特徴とする情報制御装置。
【請求項１０】
情報制御装置による表示変更方法であって、
タッチ操作が可能な第１ディスプレイの表示画面を３つ以上の分割領域に分割する分割線の交点に設けられたポインタに対するユーザからの前記タッチ操作を検知する操作検知ステップと、
検知された前記ポインタに対する前記タッチ操作に応じ、少なくとも前記第１ディスプレイの表示を、前記第１ディスプレイと第２ディスプレイを併用するレイアウトから前記第２ディスプレイを併用しないレイアウトに遷移させるレイアウト設定ステップと、
を含み、
前記レイアウト設定ステップは、前記第1ディスプレイの端に移動されている前記ポインタに対する前記タッチ操作としての前記第２ディスプレイから離れる方向へのドラッグに応じて、前記ポインタを移動させるとともに、前記第２ディスプレイに表示されていた分割領域を前記第１ディスプレイに移動させる
ことを特徴とする表示変更方法。
【発明の詳細な説明】
【技術分野】
【０００１】
本発明は、情報制御装置、及び表示変更方法に関する。
【背景技術】
【０００２】
ディスプレイにおける情報表示に関する発明として、例えば、特許文献１には、表示領域に表示を行う表示部と、表示領域に対する操作を検出する操作検出部と、表示部を制御する表示制御部とを備える電子機器が開示されている。また、同文献には、表示制御部は、表示領域に含まれる第１表示領域を複数の分割領域に分割し、当該複数の分割領域のそれぞれの表示を独立して制御する分割表示モードを有し、分割表示モードにおいて、複数の分割領域のそれぞれに対する設定を可能にする設定を可能にする一つの操作対象画像を表示部に表示させる、と記載されている。
【先行技術文献】
【特許文献】
【０００３】
【特許文献１】特開２０１５−８７８６１号公報
【発明の概要】
【発明が解決しようとする課題】
【０００４】
特許文献１の電子機器によれば、ユーザは第１表示領域の複数の分割領域の大きさを変更することができる。しかしながら、複数の分割領域の位置関係は固定されており、ユーザは複数の分割領域の位置関係を変更することができなかった。
【０００５】
また、タッチパネル操作が可能なものと、タッチパネル操作が不可能なものとを含む複数のディスプレイを併用して、複数の分割領域の位置関係やサイズを変更することができなかった。
【０００６】
本発明は、このような状況に鑑みてなされたものであり、タッチパネル操作が可能なものと、タッチパネル操作が不可能なものとを含む複数のディスプレイを併用して、表示領域に設けた複数の分割領域のサイズと位置関係をより使い勝手良く変更できるようにすることを目的とする。
【課題を解決するための手段】
【０００７】
本願は、上記課題の少なくとも一部を解決する手段を複数含んでいるが、その例を挙げるならば、以下のとおりである。上記課題を解決すべく、本発明の一態様に係る情報制御装置は、タッチ操作が可能な第１ディスプレイの表示画面を３つ以上の分割領域に分割する分割線の交点に設けられたポインタに対するユーザからの前記タッチ操作を検知する操作検知部と、検知された前記ポインタに対する前記タッチ操作に応じ、前記第１ディスプレイの表示を、前記第１ディスプレイと第２ディスプレイを併用するレイアウトに遷移させるレイアウト設定部と、を備え、前記レイアウト設定部は、前記ポインタに対する前記タッチ操作としての前記第２ディスプレイが設置されている方向へのドラッグに応じて、前記ポインタを前記第1ディスプレイの端に移動させるとともに、前記第1ディスプレイに表示されていた分割領域の一部を前記第２ディスプレイに移動させることを特徴とする。
【０００８】
また、本発明の他の態様に係る情報制御装置は、タッチ操作が可能な第１ディスプレイの表示画面を３つ以上の分割領域に分割する分割線の交点に設けられたポインタに対するユーザからの前記タッチ操作を検知する操作検知部と、検知された前記ポインタに対する前記タッチ操作に応じ、少なくとも前記第１ディスプレイの表示を、前記第１ディスプレイと第２ディスプレイを併用するレイアウトから前記第２ディスプレイを併用しないレイアウトに遷移させるレイアウト設定部と、を備え、前記レイアウト設定部は、前記第1ディスプレイの端に移動されている前記ポインタに対する前記タッチ操作としての前記第２ディスプレイから離れる方向へのドラッグに応じて、前記ポインタを移動させるとともに、前記第２ディスプレイに表示されていた分割領域を前記第１ディスプレイに移動させることを特徴とする。
【発明の効果】
【０００９】
本発明によれば、タッチパネル操作が可能なものと、タッチパネル操作が不可能なものとを含む複数のディスプレイを併用して、表示領域に設けた複数の分割領域のサイズと位置関係をより使い勝手良く変更することが可能となる。
【００１０】
上記した以外の課題、構成及び効果は、以下の実施形態の説明により明らかにされる。
【図面の簡単な説明】
【００１１】
【図１】本発明の一実施の形態に係る車載装置の構成例を示すブロック図である。
【図２】車載装置の機能ブロックの一例を示す図である。
【図３】第１ディスプレイにおける複数の分割領域を定義するための図である。
【図４】第１ディスプレイにおけるレイアウトＬ１〜Ｌ６の表示例を示す図である。
【図５】第２ディスプレイを併用するレイアウトＬ１１の表示例を示す図である。
【図６】第２ディスプレイを併用するレイアウトＬ４１の表示例を示す図である。
【図７】レイアウトＬ１からＬ２への遷移の過程を表すアニメーションの表示例を示す図である。
【図８】第１の動作例におけるレイアウト遷移処理の一例を説明するフローチャートである。
【図９】第１の動作例に対応する遷移テーブルの一例を示す図である。
【図１０】第１ディスプレイにおける複数の分割領域と、分割線と、ポインタとを定義するための図である。
【図１１】第１ディスプレイにおける検知領域と、ポインタ変更点との例を示す図である。
【図１２】第１ディスプレイと第２ディスプレイとを併用するレイアウトＬ１０１〜Ｌ１０４の例を示す図である。
【図１３】レイアウトＬ１０１〜Ｌ１０４それぞれの変形例を示す図である。
【図１４】第２の動作例におけるレイアウト遷移処理の一例を説明するフローチャートである。
【図１５】第２の動作例に対応する遷移テーブルの一例を示す図である。
【図１６】分割領域のサイズに応じて表示する情報量を変える場合の例を示す図である。
【発明を実施するための形態】
【００１２】
以下、本発明に係る一実施の形態を図面に基づいて説明する。なお、実施の形態を説明するための全図において、同一の部材には原則として同一の符号を付し、その繰り返しの説明は適宜省略する。また、以下の実施の形態において、その構成要素（要素ステップ等も含む）は、特に明示した場合および原理的に明らかに必須であると考えられる場合等を除き、必ずしも必須のものではないことは言うまでもない。また、「Ａからなる」、「Ａよりなる」、「Ａを有する」、「Ａを含む」と言うときは、特にその要素のみである旨明示した場合等を除き、それ以外の要素を排除するものでないことは言うまでもない。同様に、以下の実施の形態において、構成要素等の形状、位置関係等に言及するときは、特に明示した場合および原理的に明らかにそうでないと考えられる場合等を除き、実質的にその形状等に近似または類似するもの等を含むものとする。
【００１３】
＜本発明の一実施の形態に係る車載装置の構成例＞
以下、本発明の一実施の形態について、情報制御装置が車載装置である場合を例にして説明する。
【００１４】
図１は、本発明の一実施の形態に係る車載装置１０の構成例を示している。該車載装置１０は、例えば、ナビゲーション機能を備えた車載ナビゲーション装置によって実現可能である。そのため、車載装置１０は、例えば、前面に第１ディスプレイ２１を備える箱型の装置であり、車内のコンソールパネルに収容される。また、車載装置１０は、コンソールパネルに取り付けるための取り付け具（ブラケット）を備えており、取り付け具を介して、車内のコンソールパネルの上等に取り付けられるものであってもよい。
【００１５】
ここで、ナビゲーション機能とは、地図情報の表示、出発地（または現在地）から目的地までの推奨経路の探索および誘導、交通情報の表示といった通常のナビゲーション装置が備える機能である。なお、車載装置１０は、専用のナビゲーション装置に限定されるものではなく、例えば、スマートフォン、タブレット端末装置およびＰＤＡ（Personal Data Assistance）等であっても良い。この場合、ナビゲーション機能は、これらの装置にインストールされたアプリケーションまたはこれらの装置が接続可能なサーバ装置によって提供される。
【００１６】
車載装置１０は、ナビゲーション機能に関するナビゲーション画面の他、エアコン（エアーコンディショナ）の温度や風量等を設定するためのエアコン画面、オーディオの選曲や音量等を設定するためのオーディオ画面、無線接続されたスマートフォンによって実行されるアプリケーションの画面、電話の発着信を行うための電話画面等を表示することができる。
【００１７】
図示するように、車載装置１０は、演算処理装置１１と、第１ディスプレイ２１と、第２ディスプレイ２２と、記憶装置２３と、音声入出力装置２４と、入力装置２５と、ＲＯＭ(Read Only Memory)装置２６とを有する。
【００１８】
さらに、車載装置１０は、車速センサ２７と、ジャイロセンサ２８と、ＧＰＳ(Global Positioning System)受信装置２９と、ＦＭ多重放送受信装置３０と、ビーコン受信装置３１とを有する。
【００１９】
演算処理装置１１は、車載装置１０の様々な処理を行う中心的なユニットである。演算処理装置１１は、例えば、車速センサ２７等の各種センサおよびＧＰＳ受信装置２９から出力された情報を用いて現在地を検出する。また、演算処理装置１１は、得られた現在地情報に基づいて、表示に必要な地図情報を記憶装置２３やＲＯＭ装置２６から読み出す。また、演算処理装置１１は、読み出した地図情報をグラフィックス展開し、そこに現在地を示すマークを重ねて第１ディスプレイ２１に表示させる信号を出力する。また、演算処理装置１１は、記憶装置２３あるいはＲＯＭ装置２６に記憶されている地図情報等を用いて、ユーザ（運転者や同乗者）から指示された出発地と目的地とを結ぶ推奨経路を算出する。また、演算処理装置１１は、スピーカ２４２や第１ディスプレイ２１に所定の信号を出力して経路の誘導を行う。
【００２０】
また、演算処理装置１１は、第１ディスプレイ２１の表示画面を所定の割合で分割した分割領域を設定する。また、演算処理装置１１は、分割領域のレイアウト（配置パターン）に応じた所定の表示情報を所定の表示形態で各分割領域に表示する。さらに、演算処理装置１１は、第１ディスプレイ２１に設定した分割領域を、第２ディスプレイ２２に移動して表示することができ、また、第２ディスプレイ２２に移動して表示した分割領域を、第１ディスプレイ２１に戻して表示することができる。
【００２１】
このような演算処理装置１１は、数値演算及び各デバイスを制御する等様々な処理を実行するＣＰＵ(Central Processing Unit)１１１と、記憶装置２３またはＲＯＭ１１３等のメモリ装置から読み出した地図情報や演算データ等を一時的に格納するＲＡＭ(Random Access Memory)１１２と、ＣＰＵ１１１が実現するブートプログラム等を格納するＲＯＭ１１３と、演算処理装置１１に各種ハードウェアを接続するためのＩ／Ｆ(Interface)１１４と、これらを相互に接続するバス１１５とを有している。
【００２２】
第１ディスプレイ２１は、例えば、車内前面に設けられたコンソールパネルの中央に設置される。第１ディスプレイ２１は、グラフィックス情報を表示するユニットである。第１ディスプレイ２１は、例えば、液晶ディスプレイや有機ＥＬディスプレイ等で構成される。なお、後述するが、第１ディスプレイ２１には、透明なタッチパネル２５１が積層されている。したがって、ユーザは第１ディスプレイ２１（に積層されたタッチパネル２５１）に対してタッチ操作を行うことができる。
【００２３】
第２ディスプレイ２２は、例えば、運転席正面に設けられたインストルメントパネルに設置される。例えば、米国仕様車等のようにステアリングホイールが左側に設置されている車両の場合、ユーザから見て、第２ディスプレイ２２は、コンソールパネルの中央に設置される第１ディスプレイ２１の左側に設定される。
【００２４】
なお、第２ディスプレイ２２については、該車両に予め設けられている、速度計や回転計等を表示するディスプレイを流用することが望ましい。もちろん、車載装置１０のために専用の第２ディスプレイ２２を設けてもよい。第２ディスプレイ２２は、グラフィックス情報を表示するユニットである。第２ディスプレイ２２は、例えば、液晶ディスプレイや有機ＥＬディスプレイ等で構成される。
【００２５】
記憶装置２３は、ＨＤＤ（Hard Disk Drive）や不揮発性メモリカード等の少なくとも読み書きが可能な記憶媒体から成る。記憶装置２３には、例えば、演算処理装置１１によって用いられる様々な情報（例えば、地図情報１３１、レイアウト情報１３２、遷移テーブル１３３、アニメーション情報１３４、ポインタ情報１３５（いずれも図２）等）が格納されている。
【００２６】
音声入出力装置２４は、音声入力装置としてのマイクロフォン２４１と、音声出力装置としてのスピーカ２４２とを有する。マイクロフォン２４１は、運転者や同乗者が発した声（ユーザ発話）等、車載装置１０の外部の音声を集音する。また、スピーカ２４２は、演算処理装置１１で生成された運転者等への案内を音声として出力する。
【００２７】
入力装置２５は、ユーザからの指示入力を受け付ける装置である。入力装置２５は、タッチパネル２５１と、ダイヤルスイッチ２５２と、その他のハードスイッチであるスクロールキー等（不図示）から成る。入力装置２５は、各キーや各スイッチの操作に応じた情報を演算処理装置１１等の他の装置に出力する。
【００２８】
タッチパネル２５１は、透明な材質から成り、第１ディスプレイ２１の表示画面に積層される。タッチパネル２５１は、ユーザの指やタッチペンによるタッチ操作（タッチオン（接触）、ドラッグ（接触した状態での移動）、及びタッチオフ（接触解除）を検知する。よって、ユーザは、あたかも第１ディスプレイ２１の表示画面を視認しながら、表示画面（実際には、タッチパネル２５１）に触れて各種の操作を入力することができる。ユーザによるタッチ操作の位置は、例えば、タッチパネル２５１上に設定されるｘｙ座標に基づいて特定される。タッチパネル２５１は、例えば、静電容量方式による入力検出素子等から成る。
【００２９】
ＲＯＭ装置２６は、ＣＤ（Compact Disk）−ＲＯＭやＤＶＤ（Digital Versatile Disk）−ＲＯＭ等のＲＯＭ、ＩＣ（Integrated Circuit）カード等の少なくとも読み取りが可能な記憶媒体から成る。この記憶媒体には、例えば、動画データや、音声データ等が記憶されている。
【００３０】
車速センサ２７は、車速を算出するのに用いる値を出力するセンサである。ジャイロセンサ２８は、光ファイバジャイロや振動ジャイロ等で構成され、移動体（車両）の回転による角速度を検出するセンサである。ＧＰＳ受信装置２９は、ＧＰＳ衛星からの信号を受信し、移動体とＧＰＳ衛星間の距離と距離の変化率とを３個以上の衛星に対して測定することで移動体の現在地、進行速度および進行方位を測定するものである。これらの各装置は、車載装置１０が搭載された車両の現在地を検出するために演算処理装置１１で用いられる。
【００３１】
ＦＭ多重放送受信装置３０は、ＦＭ放送局から送られてくるＦＭ多重放送信号を受信する。ＦＭ多重放送には、ＶＩＣＳ情報の概略現況交通情報、規制情報、ＳＡ／ＰＡ（サービスエリア／パーキングエリア）情報、駐車場情報、天気情報およびＦＭ多重一般情報としてラジオ局が提供する文字情報等が含まれている。
【００３２】
ビーコン受信装置３１は、ＶＩＣＳ情報等の概略現況交通情報、規制情報、ＳＡ／ＰＡ（サービスエリア／パーキングエリア）情報、駐車場情報、天気情報および緊急警報等を受信する。ビーコン受信装置３１には、例えば、光により通信する光ビーコン、電波により通信する電波ビーコン等がある。
【００３３】
以上、車載装置１０のハードウェア構成について説明した。
【００３４】
次に、車載装置１０の機能構成を示す機能ブロックについて説明する。図２は、車載装置１０の機能ブロックの一例を示している。
【００３５】
車載装置１０は、制御部１２０と、記憶部１３０とを有している。
【００３６】
制御部１２０は、入力受付部１２１と、操作検知部１２２と、レイアウト設定部１２３と、表示情報生成部１２４と、機能処理部１２５とを有している。
【００３７】
入力受付部１２１は、入力装置２５のダイヤルスイッチ２５２やその他のハードスイッチ等を介して、ユーザからの指示や情報の入力を受け付ける機能ブロックである。例えば、入力受付部１２１は、入力装置２５を介して、出発地および目的地の設定や推奨経路の探索指示等をユーザから受け付ける。
【００３８】
操作検知部１２２は、入力装置２５のタッチパネル２５１に対するユーザの指または専用のタッチペンによるタッチ操作を検知する機能ブロックである。具体的には、操作検知部１２２は、タッチパネル２５１に対するタッチオン、ドラッグ、及びタッチオフを検知する。また、操作検知部１２２は、タッチ操作されているタッチパネル２５１上のｘｙ座標を特定する。
【００３９】
また、操作検知部１２２は、所定時間（例えば、０．５秒間）内にタッチパネル２５１への複数回（例えば、２回）タッチを検知し、各々のタッチ位置を示すタッチパネル２５１上のｘｙ座標を特定することもできる。
【００４０】
また、操作検知部１２２は、これらのタッチ操作（タッチオフを含む）を検知すると、タッチ操作の種類と、そのｘｙ座標をレイアウト設定部１２３に出力する。
【００４１】
レイアウト設定部１２３は、表示画面における分割領域を設定する機能ブロックである。具体的には、レイアウト設定部１２３は、表示画面全体を１つの表示領域とした全画面領域、または表示画面を複数（例えば、３）に分割した分割領域のサイズと位置を設定する。さらに、レイアウト設定部１２３は、レイアウトの遷移の過程を表すアニメーション表示を実行する。
【００４２】
表示情報生成部１２４は、表示領域に表示する表示情報を生成する機能ブロックである。
【００４３】
機能処理部１２５は、第１ディスプレイ２１の分割領域に操作受付ボタンが含まれており、かつ、係る操作受付ボタンへのタッチ操作があった場合、そのタッチ操作に応じて、所定の機能を実現するための処理を行う機能ブロックである。ここでいう機能とは、例えば、ナビゲーション機能、エアコン設定、音楽の再生、電話の発着信等である。
【００４４】
記憶部１３０は、所定情報を格納する機能ブロックである。記憶部１３０は、ＲＯＭ１１３、及び記憶装置２３によって実現される。記憶部１３０は、地図情報１３１、レイアウト情報１３２、遷移テーブル１３３、アニメーション情報１３４、ポインタ情報１３５、その他の様々な情報を格納している。
【００４５】
地図情報１３１には、ナビゲーション機能にて用いる地形や道路等の情報が記録されている。レイアウト情報１３２には、表示画面における複数の分割領域のサイズと位置が異なる複数のレイアウト（配置パターン）の情報や現在表示中のレイアウトを表す情報が記録されている。
【００４６】
遷移テーブル１３３は、本発明の変換情報に対応する。遷移テーブル１３３には、タッチ操作とレイアウト間の遷移との対応関係が記録されている。アニメーション情報１３４には、レイアウト間の遷移過程を表すアニメーションを表示するための情報が記録されている。ポインタ情報１３５には、各レイアウトにおけるポインタ３０１（図１０）の位置と、ポインタ移動点３０３（図１１）の位置と、タッチ領域ｔａ（図１１）の位置とに関する情報が記録されている。
【００４７】
以上、車載装置１０の機能ブロックについて説明した。
【００４８】
なお、車載装置１０の機能ブロックである入力受付部１２１、操作検知部１２２、レイアウト設定部１２３、表示情報生成部１２４、及び機能処理部１２５については、ＣＰＵ１１１が所定のプログラムを実行することによって実現される。このプログラムは、車載装置１０のＲＯＭ１１３または記憶装置２３に格納されており、実行に際してＲＡＭ１１２上にロードされて、ＣＰＵ１１１により実行される。
【００４９】
なお、図２に示された各機能ブロックは、本実施の形態において実現される車載装置１０の機能を理解容易にするために、主な処理内容に応じて分類したものである。したがって、各機能の分類の仕方やその名称によって、本発明が制限されることはない。また、車載装置１０の各構成は、処理内容に応じて、さらに多くの構成要素に分類することもできる。また、１つの構成要素がさらに多くの処理を実行するように分類することもできる。
【００５０】
また、各機能ブロックの全部または一部は、コンピュータに実装されるハードウェア（ＡＳＩＣといった集積回路等）により構築されてもよい。また、各機能ブロックの処理が１つのハードウェアで実行されてもよいし、複数のハードウェアで実行されてもよい。
【００５１】
＜第１ディスプレイ２１と第２ディスプレイ２２とを併用した情報表示について＞
次に、車載装置１０による第１ディスプレイ２１と第２ディスプレイ２２とを併用して情報表示を行う２種類の動作例について説明する。
【００５２】
車載装置１０は、以下に説明する第１の動作例、または第２の動作例の一方を実行する。なお、車載装置１０を、第１の動作例と第２の動作例との両方を実行可能とし、ユーザが選択した方を実行するようにしてもよい。
【００５３】
＜第１の動作例＞
はじめに、第１の動作例について説明する。車載装置１０は、第１の動作例として、第１ディスプレイ２１の表示画面を複数の分割領域に分割して、各分割領域それぞれに異なる情報を表示させることができる。さらに、車載装置１０は、第１ディスプレイ２１の任意の位置に対するユーザからのタッチ操作に応じ、複数の分割領域のサイズや位置関係を変更することができる。
【００５４】
さらに、車載装置１０は、第１ディスプレイ２１に対するユーザからのタッチ操作に応じ、分割領域を第２ディスプレイ２２に移動させて表示させることができる。
【００５５】
図３は、第１の動作例として、第１ディスプレイ２１の表示画面を３つの分割領域に分割した場合を示している。以下、同示するように、最も大きい分割領域を第１領域２１１、その他の２つの分割領域をそれぞれ第２領域２１２及び第３領域２１３と称する。また、第１ディスプレイ２１の座標系は、左上を原点として、長辺側をｘ軸方向、短辺側をｙ軸方向とする。なお、第１ディスプレイ２１の表示画面を分割する数は３に限らず、４以上であってもよい。
【００５６】
第１領域２１１、第２領域２１２、及び第３領域２１３の各分割領域には、例えば、ナビゲーション機能に関するナビゲーション画面、エアコンの温度や風量等を設定するためのエアコン画面、オーディオの選曲や音量等を設定するためのオーディオ画面、無線接続されたスマートフォンによって実行されるアプリケーションのアプリ画面、電話の発着信を行うための電話画面等を割り当てて表示させることができる。
【００５７】
なお、各分割領域における表示は、そのサイズに応じて、表示情報生成部１２４が、表示する情報の内容を変更するようになされている。例えば、第１領域２１１経路案内の画面が割り当てられている場合、そのサイズが小さいときには、次に曲がる交差点等の情報だけを表示するようにし、そのサイズが大きいときには、広域な地図を表示するようになされている。また例えば、第２領域２１２にエアコン画面が割り当てられている場合、そのサイズが小さいときには、現状の温度だけを表示するようにし、そのサイズが大きいときには、設定温度を変更するための操作受付ボタンも追加して表示するようになされている。
【００５８】
第１領域２１１、第２領域２１２、及び第３領域２１３のサイズと位置関係については、レイアウトＬ１〜Ｌ６（図４），Ｌ１１（図５），Ｌ４１（図６）のいずれかをユーザが選択することにより変更できる。
【００５９】
具体的には、ユーザが第１ディスプレイ２１（に積層されたタッチパネル２５１）に対して、タッチオンとドラッグを行うと、操作検知部１２２が、そのタッチ操作を検知し、検知結果をレイアウト設定部１２３に通知する。レイアウト設定部１２３は、タッチ操作の検知結果に応じて表示画面におけるレイアウトを遷移させる。
【００６０】
ただし、各レイアウトの遷移の方向は任意ではなく限定されている。例えば、レイアウトＬ１においてはレイアウトＬ２、Ｌ６、またはＬ１１にだけ遷移可能であり、また例えば、レイアウトＬ２においてレイアウトＬ１またはＬ３にだけ遷移可能であるように、特定のレイアウト間でだけ遷移可能とされている。レイアウトの遷移を限定することにより、レイアウト設定部１２３の処理を軽減することができる。
【００６１】
次に、図４は、第１ディスプレイ２１だけを用いるレイアウトＬ１〜Ｌ６の表示例を示している。
【００６２】
同図左上段に示すレイアウトＬ１は、第１領域２１１が表示画面の右側を占めている。第２領域２１２と第３領域２１３とは、同じサイズで縦方向に並び表示画面の左側を占めている。
【００６３】
同図左中段に示すレイアウトＬ２は、レイアウトＬ１に比較し、第１領域２１１の縦方向の幅が下側から短縮されている。第２領域２１２は、縦方向の幅が第１領域２１１と同じ長さまで下側に伸ばされている。第３領域２１３は、縦方向の幅が短縮され、横方向の幅が表示画面の右端まで伸ばされている。
【００６４】
同図左下段に示すレイアウトＬ３は、レイアウトＬ２に比較し、第１領域２１１が同じサイズのまま左側に移動されている。第２領域２１２は、サイズと位置が変更され、レイアウトＬ２における第３領域２１３と同じ位置を占めている。第３領域２１３は、第１領域２１１が左側に移動したことによって空いた領域を占めるように、横方向の幅が左側から短縮され、縦軸方向に伸ばされて表示画面の上端まで移動されている。
【００６５】
同図右下段に示すレイアウトＬ４は、第１領域２１１が縦方向の幅が表示画面の下端まで伸ばされて、表示画面の左側を占めている。第２領域２１２と第３領域２１３とは、同じサイズに変形され、縦方向に並び表示画面の右側を占めている。
【００６６】
同図右中段に示すレイアウトＬ５は、レイアウトＬ４に比較し、第１領域２１１の縦方向の幅が上側から短縮されている。第２領域２１２は、縦方向の幅が第１領域２１１と同じ長さまで上側に伸ばされている。第３領域２１３は、縦軸方向の幅が短縮され、横方向の幅が表示画面の左端まで伸ばされている。
【００６７】
同図右上段に示すレイアウトＬ６は、レイアウトＬ５に比較し、第１領域２１１が同じサイズのまま右側に移動されている。第２領域２１２は、サイズと位置が変更され、レイアウトＬ５における第３領域２１３と同じ位置を占めている。第３領域２１３は、第１領域２１１が右側に移動したことによって空いた領域を占めるように、横方向の幅が右側から短縮され、縦方向に伸ばされて表示画面の下端に移動されている。
【００６８】
次に、第１の動作例におけるレイアウト間の遷移について説明する。
【００６９】
レイアウトＬ１においては、ユーザからの所定のタッチ操作（詳細後述）に応じ、あたかも表示画面内で各分割領域が反時計回りで回転するようにレイアウトＬ２へと遷移することができる。また、ユーザからの所定のタッチ操作に応じ、あたかも表示画面内で各分割領域が時計回りで回転するようにレイアウトＬ６へと遷移することができる。
【００７０】
レイアウトＬ２においては、ユーザからの所定のタッチ操作に応じ、あたかも表示画面内で各分割領域が反時計回りで回転するようにレイアウトＬ３へと遷移することができる。また、ユーザからの所定のタッチ操作に応じ、あたかも表示画面内で各分割領域が時計回りで回転するようにレイアウトＬ１へと遷移することができる。
【００７１】
レイアウトＬ３においては、ユーザからの所定のタッチ操作に応じ、あたかも表示画面内で各分割領域が反時計回りで回転するようにレイアウトＬ４へと遷移することができる。また、ユーザからの所定のタッチ操作に応じ、あたかも表示画面内で各分割領域が時計回りで回転するようにレイアウトＬ２へと遷移することができる。
【００７２】
レイアウトＬ４においては、ユーザからの所定のタッチ操作に応じ、あたかも表示画面内で各分割領域が反時計回りで回転するようにレイアウトＬ５へと遷移することができる。また、ユーザからの所定のタッチ操作に応じ、あたかも表示画面内で各分割領域が時計回りで回転するようにレイアウトＬ３へと遷移することができる。
【００７３】
レイアウトＬ５においては、ユーザからの所定のタッチ操作に応じ、あたかも表示画面内で各分割領域が反時計回りで回転するようにレイアウトＬ６へと遷移することができる。また、ユーザからの所定のタッチ操作に応じ、あたかも表示画面内で各分割領域が時計回りで回転するようにレイアウトＬ４へと遷移することができる。
【００７４】
レイアウトＬ６においては、ユーザからの所定のタッチ操作に応じ、あたかも表示画面内で各分割領域が反時計回りで回転するようにレイアウトＬ１へと遷移することができる。また、ユーザからの所定のタッチ操作に応じ、あたかも表示画面内で各分割領域が時計回りで回転するようにレイアウトＬ５へと遷移することができる。
【００７５】
なお、レイアウトＬ１においては、上述したレイアウトＬ２，Ｌ６の他、第２ディスプレイ２２も併用するレイアウトＬ１１へと遷移することができる。
【００７６】
図５は、第１ディスプレイ２１と第２ディスプレイ２２とを併用するレイアウトＬ１１の表示例を示している。
【００７７】
同図下側に示すレイアウトＬ１１は、第１ディスプレイ２１の大部分を第１領域２１１が占めており、第２領域２１２と第３領域２１３とは、第１ディスプレイ２１の左端に極めて短い横幅で縦方向に並んで表示されている。第２ディスプレイ２２には、レイアウトＬ１における第１ディスプレイ２１の第２領域２１２と第３領域２１３とに相当する第２領域２２２と第３領域２２３とが表示されている。
【００７８】
同図上側に示すレイアウトＬ１においては、ユーザからの第１ディスプレイ２１（に積層されたタッチパネル２５１）に対する所定のタッチ操作に応じ、あたかも第２領域２１２、及び第３領域２１３が第１領域２１１によって左側の第２ディスプレイ２２に押し出されるかのように、第１ディスプレイ２１及び第２ディスプレイ２２の表示をレイアウトＬ１１へと遷移することができる。
【００７９】
同図下側に示すレイアウトＬ１１においては、ユーザからの第１ディスプレイ２１（に積層されたタッチパネル２５１）に対する所定のタッチ操作に応じ、あたかも第２ディスプレイ２２に表示されている第２領域２２２、及び第３領域２２３が右側の第１ディスプレイ２１に引き戻されるかのように、第１ディスプレイ２１及び第２ディスプレイ２２の表示をレイアウトＬ１へと遷移することができる。
【００８０】
また、レイアウトＬ４においては、上述したレイアウトＬ３，Ｌ５の他、第２ディスプレイ２２も併用するレイアウトＬ４１へと遷移することができる。
【００８１】
図６は、第１ディスプレイ２１と第２ディスプレイ２２とを併用するレイアウトＬ４１の表示例を示している。
【００８２】
同図下側に示すレイアウトＬ４１は、第１ディスプレイ２１の表示画面の右側の大部分を第２領域２１２と第３領域２１３とが縦方向に並んで占めている。第１ディスプレイ２１の表示画面の左端には、縦方向の全幅を占め、短い横幅の第１領域２１１が表示されている。第２ディスプレイ２２には、レイアウトＬ４における第１ディスプレイ２１の第１領域２１１に相当する第１領域２２１が表示されている。
【００８３】
同図上側に示すレイアウトＬ４においては、ユーザからの第１ディスプレイ２１（に積層されたタッチパネル２５１）に対する所定のタッチ操作に応じ、あたかも第１領域２１１が第２領域２１２及び第３領域２１３から左側の第２ディスプレイ２２に押し出されるかのように、第１ディスプレイ２１及び第２ディスプレイ２２の表示をレイアウトＬ４１へと遷移することができる。
【００８４】
同図下側に示すレイアウトＬ４１においては、ユーザからの第１ディスプレイ２１（に積層されたタッチパネル２５１）に対する所定のタッチ操作に応じ、あたかも第２ディスプレイ２２に表示されている第１領域２２１が第１ディスプレイ２１に引き戻されるかのように、第１ディスプレイ２１及び第２ディスプレイ２２の表示をレイアウトＬ４へと遷移することができる。
【００８５】
ところで、上述したレイアウト間の遷移過程は、各分割領域のサイズと形状（矩形のアスペクト比）と位置関係が徐々に変化するアニメーションとして、少なくとも第１ディスプレイ２１に表示される。
【００８６】
図７は、レイアウトＬ１からレイアウトＬ２への遷移過程を表すアニメーションの表示例を示している。
【００８７】
同図に示されるように、レイアウト間の遷移過程では、ユーザによるドラッグの距離に応じ、各分割領域が接触したり、重なり合ったりすることなく、あたかも互いが反発するかのように、それぞれのサイズと形状と表示位置を変えながら遷移先のレイアウトになるまで移動する。なお、各分割領域のサイズと形状と表示位置が変更されている間、各分割領域の内部の情報表示は、表示情報生成部１２４によって、各領域のサイズの変更に合わせて拡大縮小されながら表示が継続される。
【００８８】
また、レイアウトの遷移が完了する前にユーザからのタッチ操作が終了した場合（ユーザがタッチオフした場合）、ドラッグの距離、すなわち、タッチオン座標からタッチオフ座標までの距離に応じて遷移が確定する。例えば、ドラッグの距離が所定長（例えば、第１ディスプレイ２１の横幅の５０％）未満である場合には遷移前のレイアウトに戻され、ドラッグの距離が所定長以上である場合には遷移先のレイアウトまで遷移が進められる。
【００８９】
＜第１の動作例におけるレイアウト遷移処理＞
次に、図８は、第１の動作例におけるレイアウト遷移処理の一例を説明するフローチャートである。
【００９０】
該レイアウト遷移処理は、例えば、車両のイグニッションスイッチがオンとされて、車載装置１０が起動され、第１ディスプレイ２１の表示画面に設けられた各分割領域に所定の情報が表示された後に開始される。その後、例えば、車両のイグニッションスイッチがオフにされて、車載装置１０の動作が終了されるまで繰り返し実行される。
【００９１】
はじめに、操作検知部１２２が、第１ディスプレイ２１に積層されたタッチパネル２５１に対するタッチ操作の監視を開始し、ユーザからのタッチオン及びドラッグがあるか否かを判定する（ステップＳ１）。ここで、タッチオン及びドラッグがないと判定した場合（ステップＳ１でＮＯ）、操作検知部１２２は、タッチパネル２５１に対するタッチ操作の監視を継続する。
【００９２】
反対に、タッチオン及び所定量以上のドラッグがあると判定した場合（ステップＳ１でＹＥＳ）、操作検知部１２２が、タッチオンされたｘｙ座標とドラッグ方向を検出して、レイアウト設定部１２３に通知する（ステップＳ２）。なお、ドラッグ方向については、右方向（＋ｘ軸方向）または左方向（−ｘ軸方向）として検出すればよい。例えば、ユーザが斜め方向にドラッグした場合、そのｙ軸方向成分は無視して、ｘ軸方向成分だけを検出すればよい。
【００９３】
また、タッチオンされた位置の表示画面に、操作受付ボタンが表示されている場合、操作受付ボタンに対するユーザの操作を優先し、レイアウトの遷移は実行しないようにする。これにより、ユーザがレイアウトを遷移させる以外の意図でタッチ操作を行った場合に、ユーザの意に反してレイアウトを遷移させてしまうことを防ぐことができる。
【００９４】
次に、レイアウト設定部１２３が、記憶部１３０のレイアウト情報１３２を参照し、現在（遷移前）のレイアウトと、タッチオンされたｘｙ座標に現在表示されている分割領域とを特定する（ステップＳ３）。次に、レイアウト設定部１２３が、遷移前のレイアウトと、タッチオンされた分割領域と、タッチオンされたｙ座標が、第１ディスプレイ２１の縦方向の上側（上半分）または下側（下半分）のどちらであるかと、ドラッグ方向とに基づき、記憶部１３０の遷移テーブル１３３を参照して、遷移先のレイアウトを決定する（ステップＳ４）。
【００９５】
なお、本実施の形態では、遷移先のレイアウトを決める判定条件として遷移テーブル１３３を用いているが、遷移先のレイアウトを決める判定条件はこれに限定されない。タッチ操作と遷移先のレイアウトとが予め対応付けされて判定条件として用いることができれば、情報の持ち方に制限はない。
【００９６】
ここで、遷移テーブル１３３について説明する。図９は、第１の動作例に対応する遷移テーブル１３３の一例を示している。遷移テーブル１３３は、遷移先のレイアウトを決めるための情報（遷移情報）である。遷移テーブル１３３には、遷移前のレイアウトと、タッチ操作と、遷移先のレイアウトとが対応付けて記録されている。
【００９７】
例えば、遷移前のレイアウトがＬ１であって、第３領域２１３に対するタッチオンと、右方向へのドラッグが検知された場合、レイアウト設定部１２３が、遷移先のレイアウトをＬ２に決定する。また例えば、遷移前のレイアウトがＬ１であって、第２領域２１２に対するタッチオンと、右方向へのドラッグが検知された場合、レイアウト設定部１２３が、遷移先のレイアウトをＬ６に決定する。さらに例えば、遷移前のレイアウトがＬ１であって、第１領域２１１の縦方向の上側に対するタッチオンと、左方向へのドラッグが検知された場合、レイアウト設定部１２３が、遷移先のレイアウトをＬ２に決定する。さらに例えば、遷移前のレイアウトがＬ１であって、第１領域２１１の縦方向の下側に対するタッチオンと、左方向へのドラッグが検知された場合、レイアウト設定部１２３が、遷移先のレイアウトをＬ６に決定する。
【００９８】
また例えば、遷移前のレイアウトがＬ１であって、第２領域２１２または第３領域２１３に対するタッチオンと、左方向へのドラッグが検知された場合、レイアウト設定部１２３が、遷移先のレイアウトをＬ１１に決定する。
【００９９】
さらに例えば、遷移前のレイアウトがＬ４であって、第１領域２１１に対するタッチオンと、左方向へのドラッグが検知された場合、レイアウト設定部１２３が、遷移先のレイアウトをＬ４１に決定する。
【０１００】
ただし、例えば、遷移前のレイアウトがＬ４であって、第２領域２１２または第３領域２１３に対するタッチオンと、右方向へのドラッグが検知された場合、レイアウト設定部１２３は、遷移先のレイアウトを決定しない。この場合、後述するステップＳ５におけるアニメーション表示において、ドラッグ操作に応じて、第２領域２１２及び第３領域２１３が少しだけ右方向に移動した後、直ちに元のレイアウトＬ４に戻る様子が表示される。
【０１０１】
図８に戻る。上述したように、レイアウト設定部１２３が遷移先のレイアウトを決定した後、次に、レイアウト設定部１２３が、記憶部１３０のアニメーション情報１３４を参照して、遷移前のレイアウトから遷移先のレイアウトへの遷移過程を表すアニメーションを少なくとも第１ディスプレイ２１に表示する（ステップＳ５）。
【０１０２】
次に、操作検知部１２２が、ユーザがタッチオフしたか否（ドラッグ中である）かを判定する（ステップＳ６）。ここで、操作検知部１２２が、ユーザがタッチオフしていないと判定した場合（ステップＳ６でＮＯ）、処理はステップＳ５に戻される。そして、ステップＳ５，Ｓ６の処理が繰り返されることにより、レイアウト設定部１２３によるアニメーション表示が継続される。
【０１０３】
その後、ユーザがタッチオフしたと判定した場合（ステップＳ６でＹＥＳ）、操作検知部１２２が、タッチオフ座標をレイアウト設定部１２３に通知する。次に、レイアウト設定部１２３が、ドラッグの距離に応じて、レイアウトを確定する。すなわち、ドラッグの距離が所定長未満であれば、レイアウトを遷移前に戻し、ドラッグの距離が所定長以上（既にアニメーション表示が終了している場合を含む）であれば、レイアウトを遷移先の状態に確定する。以上で、第１の動作例におけるレイアウト遷移処理は終了される。
【０１０４】
以上に説明した第１の動作例におけるレイアウト遷移処理によれば、ユーザは、第１ディスプレイ２１（に積層されたタッチパネル２５１）の任意の位置をタッチし、ドラッグすることにより、第１ディスプレイ２１における画面表示のレイアウトを遷移させることができる。また、レイアウトによっては、第１ディスプレイ２１と第２ディスプレイ２２とを併用することができる。車載装置１０は、レイアウトの遷移に際して、遷移過程をアニメーションとして表示することができる。
【０１０５】
＜第２の動作例＞
次に、第２の動作例について説明する。車載装置１０は、第２の動作例として、第１ディスプレイ２１の表示画面を複数の分割領域に分割して、各分割領域それぞれに異なる情報を表示させることができる。さらに、車載装置１０は、第１ディスプレイ２１に表示したポインタ３０１（図１０）に対するユーザからのタッチ操作に応じ、複数の分割領域のサイズや位置関係を変更することができる。
【０１０６】
さらに、車載装置１０は、第１ディスプレイ２１に対するユーザからのタッチ操作に応じ、分割領域を第２ディスプレイ２２に移動させて表示させることができる。
【０１０７】
図１０は、第２の動作例として、第１ディスプレイ２１の表示画面を３つの分割領域に分割した場合を示している。以下、同示するように、分割した最も大きい領域を第１領域２１１、その他の２つの分割領域をそれぞれ第２領域２１２、第３領域２１３と称する。また、第１ディスプレイ２１の座標系を、左上を原点とし、長辺側をｘ軸方向、短辺側をｙ軸方向とする。なお、第１ディスプレイ２１の表示画面を分割する数は３に限らず、４以上であってもよい。
【０１０８】
第２の動作例では、第１の動作例と異なり、第１ディスプレイ２１の表示画面において、各分割領域の境界に分割線３０２（３０２ｘ，３０２ｙ）が表示される。また、分割線３０２の交点にはポインタ３０１が表示される。
【０１０９】
ユーザは、ポインタ３０１をタッチしてドラッグし、予め設定されている複数のポインタ移動点３０３のいずれかの付近まで移動させることにより、各分割領域のサイズと位置関係が異なるレイアウト間を遷移させることができる。
【０１１０】
図１１は、第１ディスプレイ２１（に積層されたタッチパネル２５１）に予め設定されている複数のポインタ移動点３０３とその周囲に設定されるタッチ領域ｔａの例を示している。同図の場合、第１ディスプレイ２１には、９箇所のポインタ移動点３０３１〜３０３９が設定されており、それぞれの周囲にタッチ領域ｔａ１〜ｔａ９が設けられている。
【０１１１】
なお、ポインタ移動点３０３及びタッチ領域ｔａの境界は第１ディスプレイ２１に表示されない。したがって、ユーザは、表示されているポインタ３０１をタッチオンしてから、上下左右いずれかの方向に直感的にドラッグすることになる。そこで、ユーザがポインタ３０１をタッチしてドラッグした場合、操作検知部１２２が、記憶部１３０のポインタ情報１３５を参照し、ドラッグ中のｘｙ座標が属するタッチ領域ｔａを判断して、該タッチ領域ｔａに属するポインタ移動点３０３にポインタ３０１が移動されたものと見做すようにする。例えば、ユーザが、ポインタ移動点３０３５に位置するポインタ３０１をタッチして右方向にドラッグし、タッチ領域ｔａ８まで達した場合、操作検知部１２２は、ポインタ３０１がポインタ移動点３０３８まで移動されたと見做すようにする。
【０１１２】
第２の動作例においても、第１領域２１１、第２領域２１２、及び第３領域２１３の各分割領域には、例えば、ナビゲーション画面、エアコン画面、オーディオ画面、アプリ画面、電話画面等を割り当てて表示させることができる。
【０１１３】
なお、各分割領域は、そのサイズに応じて、表示情報生成部１２４が、表示する情報の内容を変更するようになされている。例えば、第２領域２１２にエアコン画面が割り当てられている場合、そのサイズが小さいときには、現状の温度だけを表示するようになされており、そのサイズが大きいときには、設定温度を変更するための操作受付ボタンも追加して表示するようになされている。
【０１１４】
第２の動作例において、第１領域２１１、第２領域２１２、及び第３領域２１３の位置関係とサイズについては、レイアウトＬ１０１〜Ｌ１０４（図１２）のいずれかをユーザが選択して表示することができる。
【０１１５】
具体的には、ユーザが第１ディスプレイ２１のポインタ３０１に対して、タッチオンとドラッグを行うと、操作検知部１２２が、そのタッチ操作を検知し、検知結果をレイアウト設定部１２３に通知する。レイアウト設定部１２３は、タッチ操作の検知結果に応じてレイアウトを遷移する。
【０１１６】
ただし、各レイアウトの遷移の方向は任意ではなく限定されている。例えば、レイアウトＬ１０１においてはレイアウトＬ１０２またはＬ１０４にだけ遷移可能であり、また例えば、レイアウトＬ１０２においてはレイアウトＬ１０３にだけ遷移可能であるように、特定のレイアウト間でだけ遷移可能とされている。レイアウトの遷移を限定することにより、レイアウト設定部１２３の処理を軽減することができる。
【０１１７】
次に、図１２は、第２の動作例におけるレイアウトＬ１０１〜Ｌ１０４の表示例を示している。なお、レイアウトＬ１０１〜Ｌ１０３では、第１ディスプレイ２１だけが用いられる。レイアウトＬ１０４では、第１ディスプレイ２１と第２ディスプレイ２２とが併用される。
【０１１８】
同図左上段に示すレイアウトＬ１０１は、第１領域２１１が表示画面の右側を占めている。第２領域２１２と第３領域２１３とは、同じサイズで縦方向に並び表示画面の左側を占めている。この場合、ポインタ３０１は、ポインタ移動点３０３５に位置している。
【０１１９】
同図右上段に示すレイアウトＬ１０２は、第１領域２１１が表示画面の左側を占めている。第２領域２１２と第３領域２１３とは、同じサイズで縦方向に並び表示画面の右側を占めている。この場合、ポインタ３０１は、ポインタ移動点３０３８に位置している。
【０１２０】
同図右下段に示すレイアウトＬ１０３は、第１領域２１１の横幅が、レイアウトＬ１０１における第２領域２１２及び第３領域２１３と同じ横幅まで短縮されて表示画面の左側を占めている。第２領域２１２と第３領域２１３とは、レイアウトＬ１０１における第１領域２１１と同じ横幅まで伸ばされて表示画面の右側を占めている。この場合、ポインタ３０１は、ポインタ移動点３０３５に位置している。
【０１２１】
同図左中段に示すレイアウトＬ１０４は、第１ディスプレイ２１の表示画面全体を第１領域２１１が占めている。第２ディスプレイ２２には、レイアウトＬ１０１における第２領域２１２と第３領域２１３とに相当する第２領域２２２と第３領域２２３とが、同じサイズで縦方向に並び表示画面の右側を占めている。この場合、ポインタ３０１は、ポインタ移動点３０３２に位置している。
【０１２２】
次に、第２の動作例におけるレイアウト間の遷移について説明する。
【０１２３】
レイアウトＬ１０１においては、ユーザからのポインタ３０１に対するタッチオンと右方向へのドラッグに応じ、第１ディスプレイ２１の表示をレイアウトＬ１０２へと遷移することができる。このドラッグ操作に際しては、分割線３０２が、あたかもポインタ３０１に接続されたゴム紐等の弾性体のように引き伸ばされて変形し、分割線３０２の変形に伴って各分割領域の形状も台形に変形され、その過程が表示される。すなわち、ｘ軸方向に平行な分割線３０２は右方向に引き伸ばされ、ｙ軸方向に平行な分割線３０２は、ポインタ３０２の位置で折り曲げられて斜め方向に引き伸ばされる。そして、ユーザが、タッチ領域ｔａ８にてタッチオフすると、あたかもポインタ３０１がポインタ移動点３０３８まで引っ張られるかのように瞬時に移動して、レイアウトＬ１０２への遷移が完了する。反対に、ユーザが、タッチ領域ｔａ５にてタッチオフすると、あたかもポインタ３０１が引っ張られるかのようにポインタ移動点３０３５まで瞬時に戻されて、レイアウトの遷移が中止される。
【０１２４】
また、レイアウトＬ１０１においては、ユーザからのポインタ３０１に対するタッチオンと左方向へのドラッグに応じ、第１ディスプレイ２１と第２ディスプレイ２２との表示をレイアウトＬ１０４へと遷移することができる。このドラッグ操作に際しては、上述した場合と同様に、分割線３０２の変形とそれに伴う各分割領域の変形の過程が表示される。そして、ユーザが、タッチ領域ｔａ２にてタッチオフすると、あたかもポインタ３０１がポインタ移動点３０３２まで引っ張られるかのように瞬時に移動して、レイアウトＬ１０４への遷移が完了する。反対に、ユーザが、タッチ領域ｔａ５にてタッチオフすると、あたかもポインタ３０１が引っ張られるかのようにポインタ移動点３０３５まで瞬時に移動して、レイアウトの遷移が中止される。
【０１２５】
レイアウトＬ１０２においては、ユーザからのポインタ３０１に対するタッチオンと左方向へのドラッグに応じ、第１ディスプレイ２１の表示をレイアウトＬ１０３に遷移することができる。このドラッグ操作に際しては、上述した場合と同様に、分割線３０２の変形とそれに伴う各分割領域の変形の過程が表示される。そして、ユーザが、タッチ領域ｔａ５にてタッチオフすると、あたかもポインタ３０１がポインタ移動点３０３５まで引っ張られるかのように瞬時に移動して、レイアウトＬ１０３への遷移が完了する。反対に、ユーザが、タッチ領域ｔａ８にてタッチオフすると、あたかもポインタ３０１が引っ張られるかのようにポインタ移動点３０３８まで瞬時に戻されて、レイアウトの遷移が中止される。
【０１２６】
レイアウトＬ１０３においては、ユーザからのポインタ３０１に対するタッチオンと左方向へのドラッグに応じ、第１ディスプレイ２１と第２ディスプレイ２２との表示をレイアウトＬ１０４に遷移することができる。このドラッグ操作に際しては、上述した場合と同様に、分割線３０２の変形とそれに伴う各分割領域の変形の過程が表示される。そして、ユーザが、タッチ領域ｔａ２にてタッチオフすると、あたかもポインタ３０１がポインタ移動点３０３２まで引っ張られるかのように瞬時に移動して、レイアウトＬ１０４への遷移が完了する。反対に、ユーザが、タッチ領域ｔａ５にてタッチオフすると、あたかもポインタ３０１が引っ張られるかのようにポインタ移動点３０３５まで瞬時に戻されて、レイアウトの遷移が中止される。
【０１２７】
レイアウトＬ１０４においては、ユーザからのポインタ３０１に対するタッチオンと右方向へのドラッグに応じ、第１ディスプレイ２１の表示をレイアウトＬ１０１に遷移することができる。このドラッグ操作に際しては、上述した場合と同様に、分割線３０２の変形とそれに伴う各分割領域の形状の変形の過程が表示される。そして、ユーザが、タッチ領域ｔａ５にてタッチオフすると、あたかもポインタ３０１がポインタ移動点３０３５まで引っ張られるかのように瞬時に移動して、レイアウトＬ１０１への遷移が完了する。反対に、ユーザが、タッチ領域ｔａ２にてタッチオフすると、あたかもポインタ３０１が引っ張られるかのようにポインタ移動点３０３２まで瞬時に戻されて、レイアウトの遷移が中止される。
【０１２８】
次に、図１３は、レイアウトＬ１０１〜Ｌ１０４それぞれの変形例を示している。
【０１２９】
同図（Ａ）はレイアウトＬ１０１の変形例であり、上段にレイアウトＬ１０１Ｈ、中段にレイアウトＬ１０１、下段にレイアウトＬ１０１Ｌを示している。レイアウトＬ１０１Ｈは、レイアウトＬ１０１に比較して、第２領域２１２の縦方向の幅を短縮し、その分だけ第３領域２１３の縦方向の幅を伸ばしたものである。この場合、ポインタ３０１はポインタ移動点３０３４に位置している。レイアウトＬ１０１Ｈは、レイアウトＬ１０１との間で相互に遷移可能である。レイアウトＬ１０１Ｌは、レイアウトＬ１０１に比較して、第２領域２１２の縦方向の幅を伸ばし、その分だけ第３領域２１３の縦方向の幅を短縮したものである。この場合、ポインタ３０１はポインタ移動点３０３６に位置している。レイアウトＬ１０１Ｌは、レイアウトＬ１０１との間で相互に遷移可能である。
【０１３０】
同図（Ｂ）はレイアウトＬ１０２の変形例であり、上段にレイアウトＬ１０２Ｈ、中段にレイアウトＬ１０２、下段にレイアウトＬ１０２Ｌを示している。レイアウトＬ１０２Ｈは、レイアウトＬ１０２に比較して、第２領域２１２の縦方向の幅を短縮し、その分だけ第３領域２１３の縦方向の幅を伸ばしたものである。この場合、ポインタ３０１はポインタ移動点３０３７に位置している。レイアウトＬ１０２Ｈは、レイアウトＬ１０２との間で相互に遷移可能である。レイアウトＬ１０２Ｌは、レイアウトＬ１０２に比較して、第２領域２１２の縦方向の幅を伸ばし、その分だけ第３領域２１３の縦方向の幅を短縮したものである。この場合、ポインタ３０１はポインタ移動点３０３９に位置している。レイアウトＬ１０２Ｌは、レイアウトＬ１０２との間で相互に遷移可能である。
【０１３１】
同図（Ｃ）はレイアウトＬ１０３の変形例であり、上段にレイアウトＬ１０３Ｈ、中段にレイアウトＬ１０３、下段にレイアウトＬ１０３Ｌを示している。レイアウトＬ１０３Ｈは、レイアウトＬ１０３に比較して、第２領域２１２の縦方向の幅を短縮し、その分だけ第３領域２１３の縦方向の幅を伸ばしたものである。この場合、ポインタ３０１はポインタ移動点３０３４に位置している。レイアウトＬ１０３Ｈは、レイアウトＬ１０３との間で相互に遷移可能である。レイアウトＬ１０３Ｌは、レイアウトＬ１０３に比較して、第２領域２１２の縦方向の幅を伸ばし、その分だけ第３領域２１３の縦方向の幅を短縮したものである。この場合、ポインタ３０１はポインタ移動点３０３６に位置している。レイアウトＬ１０３Ｌは、レイアウトＬ１０３との間で相互に遷移可能である。
【０１３２】
同図（Ｄ）はレイアウトＬ１０４の変形例であり、上段にレイアウトＬ１０４Ｈ、中段にレイアウトＬ１０４、下段にレイアウトＬ１０４Ｌを示している。レイアウトＬ１０４Ｈは、レイアウトＬ１０４に比較して、第２領域２２２の縦方向の幅を短縮し、その分だけ第３領域２２３の縦方向の幅を伸ばしたものである。この場合、ポインタ３０１はポインタ移動点３０３１に位置している。レイアウトＬ１０４Ｈは、レイアウトＬ１０４との間で相互に遷移可能である。レイアウトＬ１０４Ｌは、レイアウトＬ１０４に比較して、第２領域２２２の縦方向の幅を伸ばし、その分だけ第３領域２２３の縦方向の幅を短縮したものである。この場合、ポインタ３０１はポインタ移動点３０３３に位置している。レイアウトＬ１０４Ｌは、レイアウトＬ１０４との間で相互に遷移可能である。
【０１３３】
さらに、同図に示されるように、レイアウトＬ１０１Ｈは、レイアウトＬ１０２Ｈに遷移可能であり、レイアウトＬ１０１Ｌは、レイアウトＬ１０２Ｌに遷移可能である。レイアウトＬ１０２Ｈは、レイアウトＬ１０３Ｈに遷移可能であり、レイアウトＬ１０２Ｌは、レイアウトＬ１０３Ｌに遷移可能である。レイアウトＬ１０３Ｈは、レイアウトＬ１０４Ｈに遷移可能であり、レイアウトＬ１０３Ｌは、レイアウトＬ１０４Ｌに遷移可能である。レイアウトＬ１０４Ｈは、レイアウトＬ１０１Ｈとの間で相互に遷移可能であり、レイアウトＬ１０４Ｌは、レイアウトＬ１０１Ｌとの間で相互に遷移可能である。
【０１３４】
なお、上述した遷移の他、例えば、レイアウトＬ１０１Ｈから、レイアウトＬ１０２やレイアウトＬ１０２Ｌへの遷移のように、ポインタ３０１のｘ座標とｙ座標の両方が変わるレイアウトの遷移を許容するようにしてもよい。
【０１３５】
＜第２の動作例におけるレイアウト遷移処理＞
次に、図１４は、第２の動作例におけるレイアウト遷移処理の一例を説明するフローチャートである。
【０１３６】
該レイアウト遷移処理は、例えば、車両のイグニッションスイッチがオンとされて、車載装置１０が起動され、第１ディスプレイ２１の表示画面に設けられた各分割領域に所定の情報が表示された後に開始される。その後、例えば、車両のイグニッションスイッチがオフにされて、車載装置１０の動作が終了されるまで繰り返し実行される。
【０１３７】
はじめに、操作検知部１２２が、第１ディスプレイ２１（に積層されたタッチパネル２５１）に対するタッチ操作を監視し、ユーザからポインタ３０１へのタッチオン及びドラッグの操作があるか否かを判定する（ステップＳ１１）。ここで、タッチオン及びドラッグの操作がないと判定した場合（ステップＳ１１でＮＯ）、操作検知部１２２は、タッチパネル２５１に対するタッチ操作の監視を継続する。
【０１３８】
反対に、ポインタ３０１へのタッチオン及びドラッグの操作があると判定した場合（ステップＳ１１でＹＥＳ）、操作検知部１２２は、ドラッグ中のｘｙ座標をレイアウト設定部１２３に通知し始めるとともに、ドラッグ方向を検出してレイアウト設定部１２３に通知する（ステップＳ１２）。なお、ドラッグ方向については、上方向（−ｙ軸方向）、下方向（＋ｙ軸方向）、右方向（＋ｘ軸方向）、または左方向（−ｘ軸方向）として検出すればよい。例えば、ユーザが斜め方向にドラッグした場合、そのｘ軸方向成分とｙ軸方向成分との絶対値が大きい方をドラッグ方向として検出すればよい。
【０１３９】
また、タッチオンされた位置の表示画面に、操作受付ボタンが表示されている場合、第１の動作例と同様に、操作受付ボタンに対するユーザの操作を優先し、レイアウトの遷移は実行しないようにする。これにより、ユーザがレイアウトを遷移させる以外の意図でタッチ操作を行った場合に、ユーザの意に反してレイアウトを遷移させてしまうことを防ぐことができる。
【０１４０】
次に、レイアウト設定部１２３が、ポインタ３０１に対するドラッグ方向に基づき、記憶部１３０に格納された遷移テーブル１３３を参照して遷移先のレイアウトを決定する（ステップＳ１３）。なお、本実施の形態では、遷移先のレイアウトを決める判定条件として遷移テーブル１３３を用いているが、遷移先のレイアウトを決める判定条件はこれに限定されない。タッチ操作と遷移先のレイアウトとが予め対応付けされて判定条件として用いることができれば、情報の持ち方に制限はない。
【０１４１】
ここで、遷移テーブル１３３について説明する。図１５は、第２の動作例に対応する遷移テーブル１３３の一例を示している。遷移テーブル１３３は、遷移先のレイアウトを決めるための情報（遷移情報）である。遷移テーブル１３３には、遷移前のレイアウトと、タッチ操作と、遷移先のレイアウトとが対応付けて記録されている。
【０１４２】
例えば、遷移前のレイアウトがＬ１０１であって、右方向へのドラッグが検知された場合、遷移先のレイアウトはＬ１０２に決定される。また例えば、遷移前のレイアウトがＬ１０１であって、左方向へのドラッグが検知された場合、遷移先のレイアウトはＬ１０４に決定される。さらに例えば、遷移前のレイアウトがＬ１であって、上方向へのドラッグが検知された場合、遷移先のレイアウトはＬ１０１Ｈに決定される。
【０１４３】
さらに例えば、遷移前のレイアウトがＬ１０２であって、左方向へのドラッグが検知された場合のように、遷移テーブル１３３に記録が無い場合、該ドラッグに応じた遷移は行われない。この場合、レイアウト遷移処理は強制終了されて、再びステップＳ１１から開始される（不図示）。
【０１４４】
図１４に戻る。上述したように、レイアウト設定部１２３が、遷移先のレイアウトを決定した後、次に、レイアウト設定部１２３が、ユーザのドラッグ操作に応じて遷移先のレイアウトに徐々に近づくように、分割線３０２が、あたかもポインタ３０１に接続されたゴム紐等の弾性体のように引き伸ばされて変形し、分割線３０２の変形に伴って各分割領域の形状も変形される状態を表示する(ステップＳ１４)。
【０１４５】
次に、操作検知部１２２が、ユーザがタッチオフしたか否（ドラッグ中である）かを判定する（ステップＳ１５）。ここで、操作検知部１２２が、ユーザがタッチオフしていないと判定した場合（ステップＳ１５でＮＯ）、処理はステップＳ１２に戻される。そして、ステップＳ１２〜Ｓ１５の処理が繰り返されることにより、レイアウト設定部１２３による、遷移先のレイアウトに徐々に近づくように、分割線３０２と各分割領域の変形の表示が継続される。
【０１４６】
その後、ユーザがタッチオフしたと判定した場合（ステップＳ１５でＹＥＳ）、操作検知部１２２が、タッチオフされた旨とタッチオフのｘｙ座標とをレイアウト設定部１２３に通知する。
【０１４７】
次に、レイアウト設定部１２３が、タッチオフした旨の通知に応じ、記憶部１３０のポインタ情報１３５を参照して、タッチオンのｘｙ座標と、タッチオフのｘｙ座標とが同じタッチ領域ｔａに属しているか否かを判定する（ステップＳ１６）。ここで、同じタッチ領域ｔａに属していないと判定した場合（ステップＳ１６でＮＯ）、レイアウト設定部１２３が、ポインタ情報１３５を参照して、タッチオフのｘｙ座標が属するタッチ領域ｔａのポインタ移動点３０３を特定し、特定したポインタ移動点３０３までポインタ３０１を瞬時に移動させることにより、レイアウトの遷移を完了させる（ステップＳ１７）。
【０１４８】
反対に、タッチオンのｘｙ座標と、タッチオフのｘｙ座標とが同じタッチ領域ｔａに属していると判定した場合（ステップＳ１６でＹＥＳ）、レイアウト設定部１２３が、タッチオンのｘｙ座標までポインタ３０１を瞬時に戻すことにより、レイアウトの遷移を中断し、レイアウトを元の状態に戻す（ステップＳ１８）。以上で、第２の動作例におけるレイアウト遷移処理は終了される。
【０１４９】
以上に説明した第２の動作例におけるレイアウト変更処理によれば、ユーザは、第１ディスプレイ２１に表示されたポインタ３０１をタッチし、ドラッグすることにより、複数の分割領域のサイズと位置関係とが異なるレイアウトを遷移させることができる。また、ユーザは、レイアウト１０４のように、第１ディスプレイ２１と第２ディスプレイ２２とを併用して情報を表示させることができ、さらに、第２ディスプレイ２２に移動させた分割領域を第１ディスプレイ２１に戻すことができる。車載装置１０は、レイアウトの遷移に際して、遷移過程を、分割線３０２や各分割領域を変形させて表示することができる。
【０１５０】
＜動作の変形例＞
上述した説明では、各分割領域における表示は、そのサイズに応じて、表示する情報の内容を変更するとしたが、表示する情報の内容を変更することなく、分割領域のサイズに応じて、表示する情報量、換言すれば、ユーザが見ることができる情報量を変更するようにしてもよい。
【０１５１】
図１６は、分割領域のサイズに応じて、表示する情報の内容を変更することなく、表示する情報量を変更する例を示している。ただし、同図の例では、上述した第２の動作例では遷移不可であったレイアウトＬ１０３からレイアウトＬ１０２への遷移が可能であって、レイアウトＬ１０３における第１領域２１１と、レイアウトＬ１０２における第１領域２１１とにそれぞれ表示される情報の内容が同じ場合を示している。レイアウトＬ１０２は、レイアウトＬ１０３に比較して第１領域２１１のサイズが大きいので、同じ情報であってもより多くの情報量を表示することができる。
【０１５２】
この場合、ユーザは、レイアウトＬ１０３において、ポインタ３０１をタッチして右方向にドラッグすれば、ドラッグしている間、五角形に変形された第１領域２１１に表示された、情報量が増えた情報を視認することができる。この後、ユーザがドラッグを左方向に戻してタッチオフすれば、レイアウトをＬ１０２に遷移させることなく、Ｌ１０３に戻すことができる。
【０１５３】
本明細書に記載された効果はあくまで例示であって限定されるものではなく、他の効果があってもよい。
【０１５４】
本発明は、上記した実施形態に限定されるものではなく、様々な変形例が含まれる。例えば、上記した各実施形態は、本発明を分かりやすく説明するために詳細に説明したものであり、本発明が、必ずしも説明した全ての構成要素を備えるものに限定されるものではない。また、ある実施形態の構成の一部を、他の実施形態の構成に置き換えることが可能であり、ある実施形態の構成に、他の実施形態の構成を加えることも可能である。また、各実施形態の構成の一部について、他の構成の追加・削除・置換をすることが可能である。
【０１５５】
また、上記の各構成、機能、処理部、処理手段等は、それらの一部または全部を、例えば集積回路で設計する等によりハードウェアで実現してもよい。また、上記の各構成、機能等は、プロセッサがそれぞれの機能を実現するプログラムを解釈し、実行することによりソフトウェアで実現されてもよい。各機能を実現するプログラム、判定テーブル、ファイル等の情報は、メモリや、ＨＤＤ、ＳＳＤ等の記憶装置、または、ＩＣカード、ＳＤカード、ＤＶＤ等の記録媒体に置くことができる。また、制御線や情報線は説明上必要と考えられるものを示しており、製品上必ずしも全ての制御線や情報線を示しているとは限らない。実際には殆ど全ての構成が相互に接続されていると考えてもよい。
【０１５６】
本発明は、情報制御装置、及び表示変更方法だけでなく、コンピュータ読み取り可能なプログラム等の様々な態様で提供することができる。
【符号の説明】
【０１５７】
１０・・・車載装置、１１・・・演算処理装置、２１・・・第１ディスプレイ、２２・・・第２ディスプレイ、２３・・・記憶装置、２４・・・音声入出力装置、２５・・・入力装置、２６・・・ＲＯＭ装置、２７・・・車速センサ、２８・・・ジャイロセンサ、２９・・・ＧＰＳ受信装置、３０・・・ＦＭ多重放送受信装置、３１・・・ビーコン受信装置、１１１・・・ＣＰＵ、１１２・・・ＲＡＭ、１１３・・・ＲＯＭ、１１４・・・Ｉ／Ｆ、１１５・・・バス、１２０・・・制御部、１２１・・・入力受付部、１２２・・・操作検知部、１２３・・・レイアウト設定部、１２４・・・表示情報生成部、１２５・・・機能処理部、１３０・・・記憶部、１３１・・・地図情報、１３２・・・レイアウト情報、１３３・・・遷移テーブル、１３４・・・アニメーション情報、１３５・・・ポインタ情報、２１１・・・第１領域、２１２・・・第２領域、２１３・・・第３領域、２２１・・・第１領域、２２２・・・第２領域、２２３・・・第３領域、２４１・・・マイクロフォン、２４２・・・スピーカ、２５１・・・タッチパネル、２５２・・・ダイヤルスイッチ、３０１・・・ポインタ、３０２・・・分割線、３０３・・・ポインタ移動点、ｔａ・・・タッチ領域
【図１】
2020009039.tif 000003
【図２】
2020009039.tif 000004
【図３】
2020009039.tif 000005
【図４】
2020009039.tif 000006
【図５】
2020009039.tif 000007
【図６】
2020009039.tif 000008
【図７】
2020009039.tif 000009
【図８】
2020009039.tif 000010
【図９】
2020009039.tif 000011
【図１０】
2020009039.tif 000012
【図１１】
2020009039.tif 000013
【図１２】
2020009039.tif 000014
【図１３】
2020009039.tif 000015
【図１４】
2020009039.tif 000016
【図１５】
2020009039.tif 000017
【図１６】
2020009039.tif 000018